(57)【要約】【課題】外壁角部の形状および角度に対して施工現場において形状の調整が可能であり、容易な取付作業および良好な納まりも実現する外壁角部納め部材と、この外壁角部納め部材を用いた外壁角部納め構造を提供すること。【解決手段】外壁角部納め部材は、外壁角部にその高さ方向に沿って取付可能な縦長で、横幅方向の中央部を折り目２として断面略Ｖ字状に折れ曲がった形状の本体３を有し、金属製であり、折り目において山折りまたは谷折りが自在で、本体の縦方向の一端部に、他の部分よりも裏側に折れ曲がって段差４が形成された被嵌合片５が、一端部から本体の外側に突出して設けられるとともに、本体の縦方向に延びる２つの側端部の両方に、裏側に折り返されて形成された嵌合片６が設けられている。【選択図】図１
2012067563.tif 000002
【特許請求の範囲】
【請求項１】
外壁角部にその高さ方向に沿って取付可能な縦長で、横幅方向の中央部を折り目として断面略Ｖ字状に折れ曲がった形状の本体を有する外壁角部納め部材であって、
この外壁角部納め部材は、金属製であり、前記折り目において山折りまたは谷折りが自在であり、
前記本体の縦方向の一端部に、他の部分よりも裏側に折れ曲がって段差が形成された被嵌合片が、前記一端部から本体の外側に突出して設けられるとともに、前記本体の縦方向に延びる２つの側端部の両方に、裏側に折り返されて形成された嵌合片が設けられている
ことを特徴とする外壁角部納め部材。
【請求項２】
前記外壁角部納め部材は、前記被嵌合片において固定具による壁下地への固定が可能とされていることを特徴とする請求項１に記載の外壁角部納め部材。
【請求項３】
金属製であり、断面略Ｖ字状に折れ曲がった形状の本体を有し、この本体は、外壁角部の高さ方向を長さ方向とし、この長さ方向の一端部に、表側に折り返されて形成された被嵌合片が設けられているスタータ部材が、壁下地の下端部に、前記被嵌合片を下側に配置して前記本体において固定具により固定され、
請求項１に記載の外壁角部納め部材が、前記スタータ部材に対し、外壁角部納め部材の前記嵌合片が、スタータ部材における前記被嵌合片と前記本体との間に挿入されてスタータ部材の被嵌合片と弾性的に嵌合し、スタータ部材に接続され、かつ外壁角部納め部材は、前記被嵌合片において固定具により壁下地に固定され、
スタータ部材に接続された外壁角部納め部材の上側において、別の外壁角部納め部材の前記嵌合片と前記本体との間に、スタータ部材に接続された外壁角部納め部材の前記被嵌合片が挿入され、前記別の外壁角部納め部材の嵌合片が、スタータ部材に接続された外壁角部納め部材の前記被嵌合片と弾性的に嵌合し、前記別の外壁角部納め部材が、スタータ部材に接続された外壁角部納め部材の上側に接続され、かつこの上側に接続された外壁角部納め部材が、前記被嵌合片において固定具により壁下地に固定され、
前記上側に接続された外壁角部納め部材の上側にまた別の外壁角部納め部材が、前記嵌合片と前記被嵌合片の弾性的な嵌合により接続され、固定具により壁下地に固定され、この接続と固定が、外壁角部の下側から上側に向かって順次繰り返され、外壁角部が、外壁角部納め部材により納められている
ことを特徴とする外壁角部納め構造。
【発明の詳細な説明】
【技術分野】
【０００１】
本発明は、外壁の角部における外壁材の継ぎ合わせ部分に取り付けられる外壁角部納め部材と、この外壁角部納め部材を用いて外壁の角部を納める外壁角部納め構造に関する。
【背景技術】
【０００２】
住宅などの建物では、壁下地の外側にパネル状の外壁材を張り付け、外壁を形成することが行われている。
【０００３】
外壁材の施工の際には、出隅部や入隅部といった外壁の角部（以下、外壁角部と称する）において左右に隣り合う２枚の外壁材が継ぎ合わされる部分では、隙間を通じて雨水が浸入したり、外壁材の端縁が露出して外壁の外観が低下したりするのを抑制するために、役物と呼ばれる納め部材が取り付けられる。
【０００４】
この納め部材に関し、たとえば、下記特許文献１には、長尺状の係止体および化粧カバーからなる乾式壁材の端部材が記載されている。係止体は、２つの固定片間に突出し、係合溝を形成した係合片と、係合溝の内側に突出させた係合爪と、係合溝の最奥を突出させて形成した突起とを備えている。また、化粧カバーは、２つの化粧面の間に垂下させた２つの係止片と、この係止片の外側に突出させた係止爪とを備えている。
【０００５】
このような乾式壁材の端部材は、外壁角部において、係止体の係合溝に化粧カバーの係止片を弾性的に嵌合させ、突起が係止片の間に挟持されて取り付けられる。このため、突起が係止片を外側方に押圧し、係止爪と係合爪を強固に、しかも確実に係合させることができ、乾式壁材の端部材の脱落が抑制される。
【先行技術文献】
【特許文献】
【０００６】
【特許文献１】特開平７−２７９３９６号公報
【発明の概要】
【発明が解決しようとする課題】
【０００７】
一方、外壁角部は、たとえば、出隅部および入隅部のように形状が異なり、しかも、外壁角部において隣り合う２つの外壁面がなす角度（以下、外壁角部の角度と称す）は一定ではなく、９０°の他、９０°を超える鈍角または９０°未満の鋭角の場合がある。特許文献１に記載された乾式壁材の端部材は、出隅部ばかりでなく、入隅部の対応も考慮され、その各々に見合った形状のものがあらかじめ作製される。
【０００８】
しかしながら、同じような出隅部または入隅部であっても、外壁角部の異なる角度に対して、施工現場において乾式壁材の端部材が、その形状の調整が可能とされているかどうかは不明である。
【０００９】
本発明は、以上のとおりの事情に鑑みてなされたものであり、外壁角部の形状および角度に対して施工現場において形状の調整が可能であり、容易な取付作業および良好な納まりも実現する外壁角部納め部材と、この外壁角部納め部材を用いた外壁角部納め構造を提供することを課題としている。
【課題を解決するための手段】
【００１０】
上記の課題を解決するために、本発明の外壁角部納め部材は、外壁角部にその高さ方向に沿って取付可能な縦長で、横幅方向の中央部を折り目として断面略Ｖ字状に折れ曲がった形状の本体を有する外壁角部納め部材であって、この外壁角部納め部材は、金属製であり、折り目において山折りまたは谷折りが自在であり、本体の縦方向の一端部に、他の部分よりも裏側に折れ曲がって段差が形成された被嵌合片が、一端部から本体の外側に突出して設けられるとともに、本体の縦方向に延びる２つの側端部の両方に、裏側に折り返されて形成された嵌合片が設けられていることを特徴とする。
【００１１】
この外壁角部納め部材においては、外壁角部納め部材は、被嵌合片において固定具による壁下地への固定が可能とされていることが好ましい。
【００１２】
本発明の外壁角部納め構造は、金属製であり、断面略Ｖ字状に折れ曲がった形状の本体を有し、この本体は、外壁角部の高さ方向を長さ方向とし、この長さ方向の一端部に、表側に折り返されて形成された被嵌合片が設けられているスタータ部材が、壁下地の下端部に、被嵌合片を下側に配置して本体において固定具により固定され、上記外壁角部納め部材が、スタータ部材に対し、その嵌合片が、スタータ部材における被嵌合片と本体との間に挿入されてスタータ部材の被嵌合片と弾性的に嵌合し、スタータ部材に接続され、かつ外壁角部納め部材は、被嵌合片において固定具により壁下地に固定され、スタータ部材に接続された外壁角部納め部材の上側において、別の外壁角部納め部材の嵌合片と本体との間に、スタータ部材に接続された外壁角部納め部材の被嵌合片が挿入され、別の外壁角部納め部材の嵌合片が、スタータ部材に接続された外壁角部納め部材の被嵌合片と弾性的に嵌合し、別の外壁角部納め部材が、スタータ部材に接続された外壁角部納め部材の上側に接続され、かつこの上側に接続された外壁角部納め部材が、被嵌合片において固定具により壁下地に固定され、上側に接続された外壁角部納め部材の上側にまた別の外壁角部納め部材が、嵌合片と被嵌合片の弾性的な嵌合により接続され、固定具により壁下地に固定され、この接続と固定が、外壁角部の下側から上側に向かって順次繰り返され、外壁角部が、外壁角部納め部材により納められていることを特徴とする。
【発明の効果】
【００１３】
本発明の外壁角部納め部材と外壁角部納め構造によれば、外壁角部の形状および角度に対して施工現場において形状の調整が可能であり、容易な取付作業および良好な納まりも実現する。
【図面の簡単な説明】
【００１４】
【図１】（ａ）（ｂ）は、それぞれ、本発明の外壁角部納め部材の一実施形態を示した表側から見た斜視図、裏側から見た斜視図である。
【図２】図１（ａ）に示した外壁角部納め部材のＡ−Ａ断面図である。
【図３】（ａ）（ｂ）は、それぞれ、図１（ａ）に示した外壁角部納め部材のＢ−Ｂ断面図、外壁角部納め部材の外壁角部におけるその高さ方向の接続方式を示した要部断面図である。
【図４】（ａ）（ｂ）は、それぞれ、図１（ａ）（ｂ）に示した外壁角部納め部材の形状調整について示した断面図である。
【図５】本発明の外壁角部納め構造の一実施形態を示した要部斜視図である。
【図６】（ａ）（ｂ）は、それぞれ、図５に示した外壁角部納め構造に用いられているスタータ部材を示した斜視図、Ｃ−Ｃ断面図である。
【図７】（ａ）（ｂ）は、それぞれ、図５に示した外壁角部納め構造のＤ−Ｄ断面図、Ｅ−Ｅ断面図である。
【発明を実施するための形態】
【００１５】
図１（ａ）（ｂ）は、それぞれ、本発明の外壁角部納め部材の一実施形態を示した表側から見た斜視図、裏側から見た斜視図である。図２は、図１（ａ）に示した外壁角部納め部材のＡ−Ａ断面図である。図３（ａ）（ｂ）は、それぞれ、図１（ａ）に示した外壁角部納め部材のＢ−Ｂ断面図、外壁角部納め部材の外壁角部におけるその高さ方向の接続方式を示した要部断面図である。また、図４（ａ）（ｂ）は、それぞれ、図１（ａ）（ｂ）に示した外壁角部納め部材の形状調整について示した断面図である。
【００１６】
図１（ａ）（ｂ）および図２に示したように、外壁角部納め部材１は、出隅部または入隅部の外壁角部に、その高さ方向に沿って取付可能な縦長の部材である。外壁角部納め部材１は、横幅方向の中央部を折り目２として断面略Ｖ字状に折れ曲がった形状の本体３を有している。また、本体３を含め、外壁角部納め部材１は、金属製であり、具体的には、２〜３mm程度の厚さを有する金属薄板の板金加工によって形成され、折り目２において山折りまたは谷折りが自在とされている。
【００１７】
すなわち、外壁角部納め部材１は、図４（ａ）に示したように、出隅部に対応して折り目２において裏側に折れ曲がる山折りと、図４（ｂ）に示したように、入隅部に対応して表側に折れ曲がる谷折りが可能とされている。このため、外壁角部納め部材１は、図４（ａ）に示した山折りの場合、本体３を形成する２つの面部３ａ、３ｂがなす角度θが、９０°の他、鋭角または鈍角に調整することができる。この２つの面部３ａ、３ｂがなす角度θは、図４（ｂ）に示した谷折りの場合にも同じように調整することができる。このように、外壁角部納め部材１は、外壁角部の形状および角度に対して施工現場において形状の調整が可能とされている。このような外壁角部納め部材１の形状調整は、たとえば、板金加工する金属薄板の材質、たとえば、アルミニウム合金などや、金属薄板の厚さなどの選定によって容易に実現可能である。
【００１８】
また、外壁角部納め部材１では、図１（ａ）（ｂ）および図３（ａ）に示したように、本体３の縦方向の一端部、すなわち、上端部には、他の部分よりも裏側に折れ曲がって段差４が形成された、縦断面Ｌ字状の形状を有する被嵌合片５が設けられている。被嵌合片５は、本体３の上端部から本体３の外側、すなわち、上方に突出している。被嵌合片５も、本体３の形状と同じように横断面略Ｖ字状に折れ曲がった形状を有し、本体３の形状に沿って折れ曲がっている。このような被嵌合片５は、釘、ネジなどの固定具による壁下地への固定が可能とされ、固定片としての機能を併せ持つものである。
【００１９】
また、外壁角部納め部材１では、図１（ｂ）、図２および図４（ａ）（ｂ）に示したように、本体３の縦方向に延びる２つの側端部、すなわち、２つの面部３ａ、３ｂにおいて折り目２と反対側に位置する側端部には、ともに嵌合片６が設けられている。嵌合片６は、面部３ａ、３ｂの上記側端部が裏側に折り返されて形成され、面部３ａ、３ｂの側端部の裏面から、被嵌合片５の厚さと略同等分だけ離れて配置されている。嵌合片６は、断面略Ｊ字状の形状を有している。
【００２０】
このような外壁角部納め部材１は、その複数が、外壁角部の高さ方向に沿って下側から上側へと接続されて外壁角部に取り付けられる。上下に位置する外壁角部納め部材１同士の接続は、図３（ｂ）に示したように、下側に取り付けられた外壁角部納め部材１ａの被嵌合片５における段差４の上に、上側に取り付ける外壁角部納め部材１ｂの下端を載置することにより実現される。このとき、上側の外壁角部納め部材１ｂの裏側に設けられた嵌合片６は、下側の外壁角部納め部材１ａの被嵌合片５の裏側に回り込み、上側の外壁角部納め部材１ｂの嵌合片６と本体３との間に下側の外壁角部納め部材１ａの被嵌合片５が挿入され、嵌合片６が被嵌合片５と弾性的に嵌合する。上記のとおり、被嵌合片５は、釘、ネジなどの固定具によって壁下地に固定されるが、その固定は、被嵌合片５の１箇所または数箇所であり、嵌合片６が、被嵌合片５に、その裏側に回り込んで弾性的に嵌合するのに何ら支障はない。また、被嵌合片５は、嵌合片６と本体３の間に挿入されるため、被嵌合片５を固定する固定具の頭部が露出することはなく、本体３によって覆い隠される。したがって、上下の外壁角部納め部材１ａ、１ｂの接続の納まりは良好となる。
【００２１】
なお、外壁角部納め部材１では、嵌合片６は、本体３の縦方向のほぼ全長にわたって設けられているが、嵌合片６の長さは、被嵌合片５との弾性的な嵌合が可能であり、上下の外壁角部納め部材１ａ、１ｂの接続状態または強度などが十分に得られる限り、特に制限はない。たとえば、本体３の下端部に部分的に設けることも可能である。
【００２２】
また、外壁角部納め部材１では、その表面部に外壁材に形成される模様と同じ模様を形成することができる。図１（ａ）（ｂ）および図３（ａ）（ｂ）に示したように、目地状の化粧溝７を裏側への折り曲げによって形成することができる。この場合、外壁角部納め部材１の下端部に化粧溝７を形成しておくと、上下の外壁角部納め部材１ａ、１ｂの接続部が化粧溝７と同様な外観として形成され、外壁角部納め部材１ａ、１ｂがあたかも１本のように視認されるため、納まりがより良好となり、美麗ともなる。
【００２３】
図５は、本発明の外壁角部納め構造の一実施形態を示した要部斜視図である。図６（ａ）（ｂ）は、それぞれ、図５に示した外壁角部納め構造に用いられているスタータ部材を示した斜視図、Ｃ−Ｃ断面図である。また、図７（ａ）（ｂ）は、それぞれ、図５に示した外壁角部納め構造のＤ−Ｄ断面図、Ｅ−Ｅ断面図である。
【００２４】
なお、図５では、図示を簡略化するため、図１（ａ）（ｂ）および図３（ａ）（ｂ）に示した外壁角部納め部材１、１ａ、１ｂの本体３の表面部に形成された化粧溝７は省略している。また、図５では、外壁角部８の角度を略９０°としている。また、図７（ａ）（ｂ）において、図１（ａ）（ｂ）に示した外壁角部納め部材１と同じ部位に対応するものには同一の符号を付し、以下においてその説明を省略する。
【００２５】
図５に示したように、外壁角部納め構造では、住宅などの建物の土台部との境界部に位置する、外壁角部８の下端部には、図６（ａ）（ｂ）に示したようなスタータ部材９が取り付けられる。
【００２６】
スタータ部材９は、アルミニウム合金やステンレス合金などの金属製の部材であり、図７（ａ）に示したように、外壁角部８の角度に対応して断面略Ｖ字状に折れ曲がった本体１０を有している。本体１０を形成する２面部１０ａ、１０ｂのなす角度は略９０°である。外壁角部８の角度が鋭角または鈍角の場合には、その大きさに応じた角度をなす２つの面部１０ａ、１０ｂを備えたスタータ部材９を採用することができる。
【００２７】
スタータ部材９は、図５に示した外壁角部８の高さ方向を長さ方向とし、この長さ方向の一端部、すなわち、図６（ａ）（ｂ）に示した下端部に、表側に折り返されて形成された被嵌合片１１が設けられている。具体的には、被嵌合片１１は、２つの面部１０ａ、１０ｂのそれぞれの下端部において、折れ曲がった角部１２から遠い方に位置する面部１０ａ、１０ｂの側端部寄りに設けられている。また、被嵌合片１１は、図１（ｂ）に示した外壁角部納め部材１の嵌合片６の厚さと同等分だけ本体１０の表面から離れて配置され、断面略Ｊ字状の形状を有している。
【００２８】
図５に示したように、スタータ部材９は、壁下地１３に張り付けられた複数の外壁材１４の内、外壁角部８の最下部に位置し、左右に隣り合う２枚の外壁材１４が継ぎ合わされる部分に、本体１０の２つの面部１０ａ、１０ｂの裏面を外壁材１４の表面に当接させて配置される。そして、面部１０ａ、１０ｂの表側から釘、ネジなどの固定具１５を打ち込むことによって、スタータ部材９は、壁下地１３の下端部に固定される。
【００２９】
壁下地１３は、柱１６と、その交差する２つの表側の面に取り付けられた胴縁１７と、胴縁１７の表面に、外壁角部８の形状に沿って略９０°に折り曲げられて形成された金属製の捨て水切り１８とから形成されている。捨て水切り１８には、略９０°をなす２つの面部１８ａ、１８ｂにおいて、折れ曲がった部分から遠い方に位置する側端縁部に水返し１９が、面部１８ａ、１８ｂの表側に折り返されて形成されている。水返し１９によって、外壁角部８において外壁材１４の端縁部を通じて雨水などが壁下地１３の内部に浸入するのを抑制している。外壁材１４は、このような壁下地１３に釘、ネジなどの固定具または取付金具などによって横張りされている。
【００３０】
上記のとおりに壁下地１３に固定されたスタータ部材９を施工の基準として、図１（ａ）（ｂ）に示した外壁角部納め部材１が、外壁角部８に、その下端から上端に向かって高さ方向に沿って順次取り付けられる。
【００３１】
図５に示した最下部に取り付けられる外壁角部納め部材１ｃは、スタータ部材９に対し、その上側から引き下ろすことによってスタータ部材９に接続される。図７（ａ）に示したように、外壁角部納め部材１ｃの嵌合片６は、スタータ部材９の被嵌合片１１の裏側に回り込み、被嵌合片１１と本体１０との間に挿入され、被嵌合片１１と弾性的に嵌合する。嵌合片６と被嵌合片１１との弾性的な嵌合によって、外壁角部納め部材１ｃがスタータ部材９に接続される。この接続において、スタータ部材９は、外壁角部納め部材１ｃの裏側に完全に隠れ、露出しない。したがって、スタータ部材９を壁下地１３に固定する固定具１５の頭部も露出しない。
【００３２】
なお、スタータ部材９の被嵌合片１１については、本体１０との間の嵌合片６の上方からの挿入を容易とするために、図６（ａ）に示したように、上端部を本体１０の側端縁よりも斜め内側に切り欠き、切欠部２０を形成しておくことができる。被嵌合片１１は、切欠部２０によって、外壁角部納め部材１ｃの嵌合片６と本体３の間にスムーズに進入し、外壁角部納め部材１ｃの嵌合片６が、スタータ部材９の被嵌合片１１と本体１０との間に容易に挿入される。
【００３３】
このようにスタータ部材９と接続された外壁角部納め部材１ｃは、図５に示したように、その上端部に設けられた被嵌合片５において釘、ネジなどの固定具１５により壁下地１３に固定される。被嵌合片５の裏面を外壁材１４の表面に当接させ、被嵌合片５の表側から固定具１５を打ち込むことによって外壁角部納め部材１ｃは、外壁角部８に固定される。
【００３４】
そして、最下部に取り付けられた外壁角部納め部材１ｃに、その上側において別の外壁角部納め部材１ｄが接続される。外壁角部納め部材１ｄの外壁角部納め部材１ｃへの接続は、図３（ｂ）を参照して説明したとおりである。
【００３５】
すなわち、スタータ部材９に接続された外壁角部納め部材１ｃの被嵌合片５における段差４の上に、上側に取り付ける別の外壁角部納め部材１ｄの下端を載置することにより実現される。このとき、上側の外壁角部納め部材１ｄの裏側に設けられた嵌合片６が、図７（ｂ）に示したように、外壁角部納め部材１ｃの被嵌合片５の裏側に回り込み、外壁角部納め部材１ｄの嵌合片６と本体３との間に外壁角部納め部材１ｃの被嵌合片５が挿入され、嵌合片６が被嵌合片５と弾性的に嵌合する。この嵌合によって外壁角部納め部材１ｃ、１ｄが接続される。外壁角部納め部材１ｃの被嵌合片５は、上記のとおり、釘、ネジなどの固定具１５によって壁下地１３に固定されるが、その固定は、被嵌合片５の１箇所または数箇所であり、嵌合片６が、被嵌合片５に、その裏側に回り込んで弾性的に嵌合するのに何ら支障はない。また、被嵌合片５は、嵌合片６と本体３の間に挿入されるため、被嵌合片５を固定する固定具１５の頭部が露出することはく、本体３によって覆い隠される。
【００３６】
そして、外壁角部納め部材１ｄは、その上端部に設けられた被嵌合片５において釘、ネジなどの固定具１５により壁下地１３に固定される。被嵌合片５の裏面を外壁材１４の表面に当接させ、被嵌合片５の表側から固定具１５を打ち込むことによって外壁角部納め部材１ｄは、外壁角部８に固定される。
【００３７】
図１（ａ）（ｂ）に示した外壁角部納め部材１は、また、外壁角部納め部材１ｄの上側に別のものが、その嵌合片６と、固定された被嵌合片５との弾性的な嵌合により接続され、固定具１５により壁下地１３に固定される。このような外壁角部納め部材１の接続と固定が、外壁角部８の下側から上側に向かって順次繰り返され、外壁角部８は、外壁角部納め部材１により納められる。外壁角部納め部材１の取付作業は、嵌合片６の被嵌合片５との弾性的な嵌合と、被嵌合片５における固定具１５による壁下地１３への固定という容易なものである。また、外壁角部納め部材１による外壁角部８の納まりは、スタータ部材９や固定具１５の頭部が露出しないので、良好である。
【００３８】
なお、図５に示した外壁角部納め構造は、外壁角部８を出隅部とし、その角度を略９０°として示したが、本発明の外壁角部納め構造は、上記のとおり、外壁角部８の角度が鈍角または鋭角の場合および入隅部の場合にも同様に可能である。外壁角部納め部材１の本体３を折り目２において内側または外側に折り曲げ、本体３の２つの面部３ａ、３ｂのなす角度θを外壁角部８の角度と同等とし、形状の調整を施工現場において行うことができる。この外壁角部納め部材１の形状の調整は容易である。
【００３９】
また、壁下地の構成および構造などについては上記実施形態に限定されることはなく、外壁材の種類も特に限定されない。セメントなどを主成分とする無機質板や、外殻部が、アルミニウムなどの軽金属の板金加工により形成され、その内部に、ウレタンフォームなどの発泡樹脂が芯材として充填されて形成された、金属サイディングなどと称される金属製外壁材などを用いることができる。外壁材の張り方も、横張りばかりでなく、縦張りとしても、本発明の外壁角部納め構造は、同様に適用可能である。
【符号の説明】
【００４０】
１、１ｃ、１ｄ  外壁角部納め部材
２  折り目
３  本体
４  段差
５  被嵌合片
６  嵌合片
８  外壁角部
９  スタータ部材
１０  本体
１１  被嵌合片
１３  壁下地
１５  固定具
【図１】
2012067563.tif 000003
【図２】
2012067563.tif 000004
【図３】
2012067563.tif 000005
【図４】
2012067563.tif 000006
【図５】
2012067563.tif 000007
【図６】
2012067563.tif 000008
【図７】
2012067563.tif 000009